(57)【特許請求の範囲】
【請求項１】
ハウジング及び前記ハウジングの開口を覆うカバー、又は、第１ハウジング及び第２ハウジング、を備え、
前記ハウジング及び前記カバーのそれぞれ、又は、前記第１ハウジング及び前記第２ハウジングのそれぞれが、互いに接合する接合面と、冷媒の流路となる液路とを備え、
それぞれの前記液路が、前記接合面で連通口として開口して互いに連通する電気機器であって、
それぞれの前記接合面の間に介在するシール材と、Ｏリングとを備え、
前記Ｏリングが、前記ハウジングと前記カバーとの間、又は、前記第１ハウジングと前記第２ハウジングとの間、に介在しつつ、互いに連通する２つの前記液路のそれぞれの前記連通口を囲む態様で配置され、
前記連通口及び前記Ｏリングのそれぞれが、前記接合面の面方向において、枠状の形状の前記シール材の枠外に配置され、
前記ハウジング及び前記カバーの少なくとも一方、又は、前記第１ハウジング及び前記第２ハウジングの少なくとも一方が、前記接合面の面方向における、前記シール材と前記Ｏリングとの間に配置される溝を前記接合面に備える
ことを特徴とする電気機器。
【請求項２】
前記ハウジングとして、制御基板を収容するインバータハウジングを備え、
前記カバーとして、前記インバータハウジングの開口を塞ぐインバータカバーを備える
ことを特徴とする請求項１に記載の電気機器。
【請求項３】
前記第１ハウジングとして、シャフト、ロータ、及びステータを収容するモータハウジングを備え、
前記第２ハウジングとして、制御基板を収容するインバータハウジングを備える
ことを特徴とする請求項１に記載の電気機器としてのモータ。
【請求項４】
前記インバータハウジングの開口を塞ぐインバータカバーを備え、
前記インバータハウジング及び前記インバータカバーのそれぞれが、互いに接合する接合面と、冷媒の流路となる液路とを備え、
前記インバータハウジング及び前記インバータカバーのそれぞれの前記液路が、前記接合面で連通口として開口して互いに連通し、
前記インバータハウジングの前記接合面と前記インバータカバーの前記接合面との間に介在する第２シール材及び第２Ｏリングが配置され、
前記Ｏリングが、互いに連通する、前記インバータハウジングの前記連通口、及び前記インバータカバーの前記連通口のそれぞれを囲む態様で配置され、
前記インバータハウジング及び前記インバータカバーの少なくとも一方が、前記接合面の面方向における、前記第２シール材と前記第２Ｏリングとの間に配置される第２溝を前記接合面に備える
ことを特徴とする請求項３に記載のモータ。
【請求項５】
前記溝が、前記Ｏリングをセットされる環状溝と同心の曲率で湾曲する円弧状の形状である
ことを特徴とする請求項１に記載の電気機器。
【発明の詳細な説明】
【技術分野】
【０００１】
本発明は、モータ等の電気機器、及びモータに関する。
【背景技術】
【０００２】
従来、第１ハウジング及び第２ハウジングを備え、且つ、第１ハウジング及び第２ハウジングのそれぞれに、互いに接合する接合面、及び冷媒の流路となる液路を備える電気機器が知られている。【０００３】
例えば、特許文献１に記載の電気機器としてのモータは、モータ部と、インバータ部とを備える。モータ部は、第１ハウジングたるモータケースと、モータケース内に収容される回転軸、ロータ及びステータとを備える。また、インバータ部は、第２ハウジングたるインバータケースと、インバータケース内に収容されるコンデンサ及びインバータ回路とを備える。モータケースとインバータケースとは、互いにロータの回転軸線方向に接合する。【０００４】
モータケースは、ロータの回転軸線方向に延びる液路たるモータ冷却水通路を備える。モータ冷却水通路の回転軸線方向の一端は排水口として開口し、他端は連通口としてインバータケースとの接合面で開口する。また、インバータケースは、ロータの回転軸線方向とは直交する方向に延びた後、屈曲してモータケースに向けて延びるインバータ冷却水通路を備える。このインバータ冷却水通路の一端は連通口としてモータケースとの接合面で開口し、他端は給水口として開口する。モータ冷却水通路とインバータ冷却水通路とは、互いの連通口を通じて連通する。インバータケースの給水口からインバータ冷却水通路内に流入した冷却水は、インバータ冷却水通路内を流れた後、モータケースのモータ冷却水通路に流入する。その後、冷却水は、モータ冷却水通路内を流れた後、排水口を通じて外部に排出される。【０００５】
特許文献１によれば、かかる構成のモータでは、同一の冷却水回路でモータ部とインバータ部との両方を冷却することができるとされる。
【先行技術文献】
【特許文献】
【０００６】
【特許文献１】特開２００６−１９７７８１号公報
【発明の概要】
【発明が解決しようとする課題】
【０００７】
しかしながら、このモータにおいては、モータ冷却水通路とインバータ冷却水通路との連通部において、通路内の冷却水を、２つのケースにおける互いの接合面の間に形成された微小な隙間から、ケースの内外に漏れ出させるおそれがある。加えて、このモータにおいては、モータケース内やインバータケース内の気密性を十分に確保することができない。【０００８】
そこで、本発明者は、弾性材料からなるＯリングと、液状ガスケットからなるシール材とを設けた試作機を試作した。この試作機のＯリングは、モータ冷却水通路とインバータ冷却水通路との連通部にて、モータケースとインバータケースとの間に介在しつつ、それぞれの冷却水通路の連通口を囲む。また、シール材は、モータケースの接合面と、インバータケースの接合面との間に介在して、モータケース内部及びインバータケース内部を密閉する。かかる構成の試作機によれば、モータ冷却水通路の連通口、及びインバータ冷却水通路の連通口のそれぞれを囲むＯリングが、両ケースの接合面間の微小な隙間を封止することで、隙間からケース内外への冷却水の漏れを抑えることができる。加えて、両ケースの接合面間に介在するシール部材が、モータケース内部及びインバータケース内部を密閉することで、モータケース内及びインバータケース内の気密性を高めることができる。【０００９】
しかしながら、この試作機においては、モータケースとインバータケースとの接合時に、液状ガスケットからなるシール材を接合面に沿って広がらせてＯリングに付着させるおそれがあり、付着によってＯリングの劣化を早めてしまうという新たな課題を生じ得ることが判明した。液状ガスケットに代えて、メタルガスケット等の固体ガスケットを用いれば、液状ガスケットの付着によるＯリングの劣化を回避することが可能であるが、固体ガスケットは液状ガスケットに比べて高価であることから、低コスト化を図ることができなくなってしまう。【００１０】
２つの冷却水通路を互いの接合面で連通させる２つのハウジングを備える構成において生ずる課題について説明したが、２つの液路を互いの接合面で連通させるハウジング及びカバーを備える構成においても、同様の課題が生じ得る。例えば、インバータハウジングと、インバータハウジングの開口を塞ぐインバータカバーとを備え、インバータハウジングの液路と、インバータカバーの液路とを、インバータハウジング及びインバータカバーのそれぞれの接合面で連通させるモータが知られている。かかるモータにおいても、同様の課題が生じ得る。【００１１】
本発明は、以上の背景に鑑みてなされたものであり、その目的とするところは、次のような電気機器及びモータを提供することである。即ち、接合部からの冷媒漏れをＯリングによって抑え、液状ガスケットの付着によるＯリングの劣化を抑え、且つ互いに接合するハウジング及びカバー、又は互いに接合する２つのハウジングの気密性を低コストで高めることができる電気機器及びモータである。
【課題を解決するための手段】
【００１２】
本発明の一態様は、ハウジング及び前記ハウジングの開口を覆うカバー、又は、第１ハウジング及び第２ハウジング、を備え、前記ハウジング及び前記カバーのそれぞれ、又は、前記第１ハウジング及び前記第２ハウジングのそれぞれが、互いに接合する接合面と、冷媒の流路となる液路とを備え、それぞれの前記液路が、前記接合面で連通口として開口して互いに連通する電気機器であって、それぞれの前記接合面の間に介在するシール材と、Ｏリングとを備え、前記Ｏリングが、前記ハウジングと前記カバーとの間、又は、前記第１ハウジングと前記第２ハウジングとの間、に介在しつつ、互いに連通する２つの前記液路のそれぞれの前記連通口を囲む態様で配置され、前記連通口及び前記Ｏリングのそれぞれが、前記接合面の面方向において、枠状の形状の前記シール材の枠外に配置され、前記ハウジング及び前記カバーの少なくとも一方、又は、前記第１ハウジング及び前記第２ハウジングの少なくとも一方が、前記接合面の面方向における、前記シール材と前記Ｏリングとの間に配置される溝を前記接合面に備えることを特徴とするものである。
【発明の効果】
【００１３】
本発明によれば、接合部からの冷媒漏れをＯリングによって抑えつつ、液状ガスケットの付着によるＯリングの劣化を抑え、且つ互いに接合するハウジング及びカバー、又は互いに接合する２つのハウジングの気密性を低コストで高めることができるという優れた効果がある。
【図面の簡単な説明】
【００１４】
【図１】実施形態に係るモータを示す斜視図である。
【図２】同モータのシャフト、ロータ、及びステータを示す縦断面図である。
【図３】同モータのステータ及びロータを示す横断面図である。
【図４】同モータのモータハウジングを回転軸線方向の他方側から示す斜視図である。
【図５】同モータハウジングの接合面を示す平面図である。
【図６】同モータハウジングにおける連通口及びその周囲を拡大して示す部分斜視図である。
【図７】同モータのインバータハウジングを回転軸線方向の一方側から示す斜視図である。
【図８】同インバータハウジングにおける冷媒流路及びその周囲を示す部分斜視図である。
【図９】同モータのインバータカバーを回転軸線方向の一方側から示す斜視図である。
【図１０】同モータのインバータ部の回路構成を示すブロック図である。
【発明を実施するための形態】
【００１５】
以下、各図を用いて、本発明を適用したモータの一実施形態について説明する。
【００１６】
図１は、実施形態に係るモータ１を示す斜視図である。図２は、モータ１のシャフト６、ロータ７、及びステータ５を示す縦断面図である。モータ１は、モータ部２と、インバータ部５０とを備える。
【００１７】
モータ部２は、ＩＰＭ（Ｉｎｔｅｒｉｏｒ  Ｐｅｒｍａｎｅｎｔ  Ｍａｇｎｅｔ）モータからなり、図１に示されるモータハウジング３と、図２に示されるシャフト６、ロータ７、及びステータ５とを備える。回転軸部材としてのシャフト６は、図中において一点鎖線で示される回転軸線Ｌを中心にして回転可能に支持される。回転軸線Ｌの延在方向は、本発明における回転軸線方向の一例である。図１における矢印Ａ方向は、本発明における回転軸線方向の一方側の一例である。また、図１における矢印Ｂ方向は、本発明における回転軸線方向の他方側の一例である。
【００１８】
シャフト６の回転軸線方向の中央部、ロータ７、及びステータ５は、第１ハウジングたるモータハウジング３の円柱状の中空内に収容される。シャフト６における、回転軸線方向の一方側（矢印Ａ方向側）及び他方側（矢印Ｂ方向側）のそれぞれは、ボールベアリング８によって回転可能に支持される。２つのボールベアリング８のそれぞれは、モータハウジング３内に固定される。
【００１９】
ロータ７は、シャフト６と一体的に回転する。ロータ７、及びシャフト６の回転軸線方向の中央部は、ステータ５の中空内に配置される。
【００２０】
図３は、モータ１のステータ５及びロータ７を示す横断面図である。ステータ５は、円筒状のステータコア５ａと、ステータコア５ａに巻かれた巻線たる平角線コイル５ｂとを備える。ロータ７は、ステータコア５ａの中空内に配置される。また、ロータ７は、ロータコア７ａと、ロータ７の回転軸線Ｌを中心とする周方向に並ぶ態様でロータコア７ａに埋め込まれた複数の永久磁石７ｂとを備える。なお、図３においては、平角線コイル５ｂの横断面に付されるべきハッチングが省略されている。
【００２１】
以下、回転軸線Ｌを中心とする周方向を単に周方向と言う。また、回転軸線Ｌを中心とする径方向を単に径方向と言う。
【００２２】
図１に示されるように、モータ部２と、インバータ部５０とは、互いに回転軸線方向に隣接し、モータハウジング３とインバータハウジング５５とは互いに回転軸線方向に接合する。本発明におけるハウジングであり、且つ第２ハウジングでもあるインバータハウジング５５における回転軸線方向の他方側（矢印Ｂ方向側）の端は、他方側に向けて大きく開口する。この開口は、カバーとしてのインバータカバー５１によって塞がれる。
【００２３】
インバータ部５０は、車両のＥＣＵ（Ｅｎｇｉｎｅ  Ｃｏｎｔｒｏｌ  Ｕｎｉｔ）等の上位装置から送られてくる指令に従って、モータ部２に三相電源の電力を指令に基づく周波数で供給するものである。インバータカバー５１、インバータ回路、及びインバータハウジング５５を備えるインバータ部５０は、回転軸線方向において、モータ部２よりも他方側（矢印Ｂ方向側）に配置される。
【００２４】
モータハウジング３、インバータハウジング５５、及びインバータカバー５１のそれぞれは、中空構造の鋳造品からなる。インバータハウジング５５の中空内には、制御基板等が配置される。また、インバータカバー５１内には、インバータ回路の一部を構成するＩＧＢＴ（Ｉｎｓｕｌａｔｅｄ  Ｇａｔｅ  Ｂｉｐｏｌａｒ  Ｔｒａｎｓｉｓｔｏｒ）モジュール等が配置される。
【００２５】
モータハウジング３の外周面には、給液管９が接続される。給液管９内には、冷却装置から送られてくる冷却水等の液状の冷媒が供給される。
【００２６】
図４は、モータハウジング３を回転軸線方向の他方側（矢印Ｂ方向側）から示す斜視図である。モータハウジング３は、ステータ（図２の５）及びロータ（図２の７）を収容する中空３ｃと、液路たる冷媒流路３ａと、インバータハウジング（図１の５５）に接合する接合面３ｂとを備える。冷媒流路３ａは、給液管９に連通し、周方向に延伸した後、回転軸線方向の一方側（矢印Ａ方向側）から他方側に向けて延びる。冷媒流路３ａの回転軸線方向の他端は、接合面３ｂにおいて連通口３ａ１として他方側に向けて開口する。
【００２７】
図５は、モータハウジング３の接合面３ｂを示す平面図である。接合面３ｂには、液状ガスケットの乾燥体からなるシール材４０が、所定の幅で中空３ｃを囲む態様で配置される。このシール材４０が、モータハウジング３の接合面３ｂと、後述のインバータハウジングの接合面との間に介在して、モータハウジング３の中空３ｃと、インバータハウジングの中空とを密閉することで、両ハウジングの気密性を低コストで高めることができる。なお、図５においては、便宜上、シール材４０にハッチングが付されているが、ハッチングはシール材４０の断面を示すものではない。後述の図６に示される液状ガスケット（４１）も同様である。なお、シール材４０は、モータハウジング３及びインバータハウジング５５の内部への外部からの粉塵や水滴の侵入を防止するために設けられている。
【００２８】
図６は、モータハウジング３における連通口３ａ１及びその周囲を拡大して示す部分斜視図である。図７は、インバータハウジング５５を回転軸線方向の一方側（矢印Ａ方向側）から示す斜視図である。なお、図７においては、便宜上、シール材（４０）の図示が省略されている。図６に示されるように、モータハウジング３は、冷媒流路３ａの連通口３ａ１を囲む環状溝３ｅを、接合面３ｂに備える。環状溝３ｅ内には、耐熱性ゴム等の弾性体からなるＯリング３９がセットされる。
【００２９】
図７に示されるように、インバータハウジング５５は、モータハウジングの接合面（図６の３ｂ）に接合する接合面５５ａと、液路たる冷媒流路５５ｂとを備える。冷媒流路５５ｂの回転軸線方向における一方側（矢印Ａ方向側）の端は、連通口５５ｂ１として一方側に向けて開口する。図６に示されるモータハウジング３と、図７に示されるインバータハウジング５５とは、互いの接合面（３ｂ、５５ａ）を接合させた状態で、ボルト及びナットによって互いに固定される。すると、モータハウジング３の冷媒流路３ａと、インバータハウジングの冷媒流路５５ｂとが、互いの連通口（３ａ１、５５ｂ１）を通じて連通する。また、Ｏリング３９が、モータハウジング３とインバータハウジング５５との間に介在して、互いに連通する２つの冷媒流路（３ａ、５５ｂ）のそれぞれの連通口（３ａ１、３ｂ１）を囲む。これにより、Ｏリング３９は、２つの連通口（３ａ１、３ｂ１）の周囲を密閉することで、モータハウジング３とインバータハウジング５５との接合部からモータハウジング３及びインバータハウジング５５の内外への冷媒の漏れを抑えることができる。
【００３０】
なお、モータハウジング３の接合面３ｂと、インバータハウジングの接合面５５ａとのうち、前者だけに環状溝３ｅを設けた例について説明したが、後者だけに環状溝を設けてもよいし、両者のそれぞれに環状溝を設けてもよい。
【００３１】
図５に示されるように、モータハウジング３の接合面３ｂにおいては、溝３ｄが面方向におけるシール材４０とＯリング３９との間に配置される。図５に示されるシール材４０は、液状ガスケットの乾燥体である。これに対し、図６において、接合面３ｂにおける中空３ｃの周縁に塗布された液状ガスケット４１は、乾燥前の液状の状態である。モータハウジング３の接合面３ｂと、インバータハウジング５５の接合面５５ａとが接合すると、両者間に存在する液状ガスケット４１が面方向に広がる。このように液状ガスケット４１が広がっても、図６に示されるように、液状ガスケット４１の広がり部分は、Ｏリング３９に到達する前に、溝３ｄ内に流れ込んで更なる広がりが阻止される。このように、溝３ｄが、液状ガスケット４１のＯリング３９の付着を抑えることで、液状ガスケット４１の付着によるＯリング３９の劣化を抑えることができる。
【００３２】
溝３ｄは、Ｏリング３９をセットされる環状溝３ｅと同心の曲率で湾曲する円弧状の形状である。かかる構成の溝３ｄは、Ｏリング３９の周囲領域において、直線状の形状の溝に比べて、より長い態様で配置することが可能であることから、溝３ｄ内部の容量をより大きくして、溝３ｄ内からの液状ガスケット４１の溢れを抑えることができる。
【００３３】
なお、モータハウジング３の接合面３ｂと、インバータハウジング５５の接合面５５ａとのうち、前者だけに溝３ｄを設けた例について説明したが、後者だけに溝を設けてもよいし、両者のそれぞれに溝を設けてもよい。連通口（３ａ１、５５ｂ１）及び溝３ｄを、枠状の形状のシール材４０の枠外に配置した例について説明した。
【００３４】
図８は、インバータハウジング５５における冷媒流路５５ｂ及びその周囲を示す部分斜視図である。インバータハウジング５５は、回転軸線方向の他方側（矢印Ｂ方向側）に、インバータカバー（図１の５１）に接合する第２接合面５５ｃを備える。インバータハウジング５５の冷媒流路５５ｂにおける回転軸線方向の他方側の端は、第２接合面５５ｃにおいて第２連通口５５ｂ２として他方側に向けて開口する。第２接合面５５ｃには、第２連通口５５ｂ２を囲む第２環状溝が設けられ、この第２環状溝内には、第２Ｏリング５６がセットされる。
【００３５】
図９は、インバータカバー５１を回転軸線方向の一方側（矢印Ａ方向側）から示す斜視図である。インバータカバー５１は、インバータハウジングの第２接合面（図８の５５ｃ）に接合する接合面５１ａと、冷媒流路５１ｂとを備える。冷媒流路５１ｂの一端は、接合面５１ａにおいて連通口５１ｂ１として回転軸線方向の一方側（矢印Ａ方向側）に向けて開口する。インバータハウジング５５の第２接合面５５ｃ（図８）と、インバータカバー５１の接合面５１ａ（図９）とが接合すると、インバータハウジング５５の冷媒流路５５ｂと、インバータカバー５１の冷媒流路５１ｂとが互いの連通口（５５ｂ２、５１ｂ１）を通じて連通する。
【００３６】
図８に示される第２Ｏリング５６は、インバータハウジング５５とインバータカバー（図９の５１）との間に介在しつつ、互いに連通する冷媒流路（５５ｂ、５１ｂ）のそれぞれの連通口（５５ｂ２、５１ｂ）を囲む態様で配置される。これにより、第２Ｏリング５６は、インバータハウジング５５とインバータカバー５１との接合部からインバータハウジング５５及びインバータカバー５１の内外への冷媒漏れを抑えることができる。
【００３７】
なお、インバータハウジング５５の第２接合面５５ｃと、インバータカバー５１の接合面５１ａとのうち、前者だけに第２Ｏリング５６用の第２環状溝を設けた例について説明したが、後者だけに第２環状溝を設けてもよいし、両者のそれぞれに第２環状溝を設けてもよい。
【００３８】
インバータハウジング５５の第２接合面には、液状ガスケットの乾燥体からなる第２シール材４２が、所定の幅でインバータハウジング５５の中空を囲む態様で配置される。この第２シール材４２が、インバータハウジング５５の第２接合面５５ｃと、インバータカバー５１の接合面５１ａとの間に介在して、インバータハウジング５５の中空と、インバータカバー５１の中空とを密閉する。モータ１によれば、前述の密閉により、インバータハウジング５５及びインバータカバー５１の気密性を低コストで高めることができる。
【００３９】
インバータハウジング５５の第２接合面５５ｃにおいては、第２溝５５ｅが面方向における第２シール材４２と第２Ｏリング５６との間に配置される。第２シール材４２の前駆体である液状ガスケットが、塗布時に面方向に広がっても、液状ガスケットの広がり部分は、第２Ｏリング５６に到達する前に、第２溝５５ｅ内に流れ込んで更なる広がりが阻止される。このように、第２溝５５ｅが、液状ガスケットの第２Ｏリング５６への付着を抑えることで、液状ガスケットの付着による第２Ｏリング５６の劣化を抑えることができる。
【００４０】
なお、インバータハウジング５５の第２接合面５５ｃと、インバータカバー５１の接合面５１ａとのうち、前者だけに第２溝５５ｅを設けた例について説明したが、後者だけに溝を設けてもよいし、両者のそれぞれに溝を設けてもよい。第２連通口５５ｂ２、連通口５１ｂ１、及び第２溝５５ｅのそれぞれを枠状の形状の第２シール材４２の枠外に配置した例について説明した。
【００４１】
インバータカバー５１の冷媒流路５１ｂは、カバー底壁の内部に設けられ、回転軸線方向と直交する方向に延びる。
【００４２】
図４に示される給液管９を通じてモータハウジング３の冷媒流路３ａに流入した冷媒は、冷媒流路３ａ内を流れてモータハウジング３を冷却した後、図７に示されるインバータハウジング５５の冷媒流路５５ｂに流入する。その後、冷媒は、冷媒流路５５ｂ内を流れてインバータハウジング５５を冷却した後、図９に示されるインバータカバー５１の冷媒流路５１ｂ内に流入する。そして、冷媒は、冷媒流路５１ｂ内を流れてインバータカバー５１及びＩＧＢＴモジュール（図１０の５２）を冷却した後、不図示の廃液管を通じて外部へ排出される。排出された冷媒は、外部配管を通じて冷却装置に送られて冷却された後、モータ部２の給液管９に再び送られる。
【００４３】
図１０は、インバータ部５０の回路構成を示すブロック図である。インバータ部５０は、電源回路５３と、インバータ制御回路５４と、インバータ回路５７とを備える。車両のイグニション電源は、電源回路５３とインバータ回路５７とに供給される。電源回路は、イグニション電源の電圧を安定した５Ｖ電源に変換して、インバータ制御回路５４に供給する。インバータ制御回路５４は、上位装置から送られてくる制御信号に従って、インバータ回路５７を制御する。インバータ回路５７は、上述のＩＧＢＴモジュール５２を備える。
【００４４】
電源回路５３、インバータ制御回路５４、及びインバータ回路５７のＩＧＢＴモジュール５２を除く部分は、インバータハウジング（図１の５５）内に収容される。ＩＧＢＴモジュール５２は、上述のように、インバータケース（図１の５１）内に収容される。
【００４５】
本発明をモータ１に適用した例について説明したが、本発明を発電機（ダイナモ）に適用してもよい。
【００４６】
本発明は上述の実施形態に限られず、本発明の構成を適用し得る範囲内で、実施形態とは異なる構成を採用することもできる。本発明は、以下に説明する態様毎に特有の作用効果を奏する。
【００４７】
〔第１態様〕
第１態様は、ハウジング（例えばインバータハウジング５５）及び前記ハウジングの開口を覆うカバー（例えばインバータカバー５１）、又は、第１ハウジング（例えばモータハウジング３）及び第２ハウジング（例えばインバータハウジング５５）、を備え、前記ハウジング及び前記カバーのそれぞれ、又は、前記第１ハウジング及び前記第２ハウジングのそれぞれが、互いに接合する接合面（例えば接合面３ｂ及び接合面５５ａ、又は第２接合面５５ｃ及び接合面５１ａ）と、冷媒の流路となる液路（例えば冷媒流路３ａ、５５ｂ、５１ｂ）とを備え、それぞれの前記液路が、前記接合面で連通口として開口して互いに連通する電気機器であって、それぞれの前記接合面の間に介在するシール材（例えばシール材４０、第２シール材４２）と、Ｏリング（例えばＯリング３９、第２Ｏリング５６）とを備え、前記Ｏリングが、前記ハウジングと前記カバーとの間、又は、前記第１ハウジングと前記第２ハウジングとの間、に介在しつつ、互いに連通する２つの前記液路のそれぞれの前記連通口を囲む態様で配置され、前記ハウジング及び前記カバーの少なくとも一方、又は、前記第１ハウジング及び前記第２ハウジングの少なくとも一方が、前記接合面の面方向における、前記シール材と前記Ｏリングとの間に配置される溝（例えば溝３ｄ、第２溝５５ｅ）を前記接合面に備えることを特徴とするものである。
【００４８】
かかる構成の第１態様によれば、ハウジングとカバーとの接合部、又は、第１ハウジングと第２ハウジングとの接合部からの冷媒漏れをＯリングによって抑えることができる。加えて、第１態様によれば、ハウジング及びカバーの少なくとも一方の接合面、又は第１ハウジング及び第２ハウジングの少なくとも一方の接合面に配置された溝が、Ｏリングへの液状ガスケットの付着を抑えることで、液状ガスケットの付着によるＯリングの劣化を抑えることができる。更に、第１態様によれば、ハウジング及びカバーの互いの接合面、又は第１ハウジング及び第２ハウジングの互いの接合面、の間に介在する、液状ガスケットの乾燥体であるシール材が、ハウジング及びカバー、又は第１ハウジング及び第２ハウジングの気密性を低コストで高めることができる。
【００４９】
〔第２態様〕
第２態様は、第１態様の構成を備え、前記ハウジングとして、制御基板を収容するインバータハウジングを備え、前記カバーとして、前記インバータハウジングの開口を塞ぐインバータカバーを備えることを特徴とするものである。
【００５０】
かかる構成によれば、インバータハウジングとインバータカバーとの接合部からの冷媒漏れをＯリングによって抑え、液状ガスケットの付着によるＯリングの劣化を抑え、且つ、インバータハウジング及びインバータカバーの気密性を低コストで抑えることができる。
【００５１】
〔第３態様〕
第３態様は、第１態様の構成を備え、前記第１ハウジングとして、シャフト、ロータ、及びステータを収容するモータハウジングを備え、前記第２ハウジングとして、制御基板を収容するインバータハウジングを備えることを特徴とする電気機器としてのモータである。
【００５２】
第３態様によれば、モータハウジングとインバータハウジングとの接合部からなの冷媒漏れをＯリングによって抑えつつ、液状ガスケットの付着によるＯリングの劣化を抑えることができる。加えて、第３態様によれば、モータハウジング及びインバータハウジングのそれぞれの気密性を低コストで高めることができる。
【００５３】
〔第４態様〕
第４態様は、第３態様の構成と、前記インバータハウジングの開口を塞ぐインバータカバーとを備え、前記インバータハウジング及び前記インバータカバーのそれぞれが、互いに接合する接合面と、冷媒の流路となる液路とを備え、前記インバータハウジング及び前記インバータカバーのそれぞれの前記液路が、前記接合面で連通口として開口して互いに連通し、前記インバータハウジングの前記接合面と前記インバータカバーの前記接合面との間に介在する第２シール材（例えば第２シール材４２）及び第２Ｏリング（例えば第２Ｏリング５６）が配置され、前記Ｏリングが、互いに連通する、前記インバータハウジングの前記連通口、及び前記インバータカバーの前記連通口のそれぞれを囲む態様で配置され、前記インバータハウジング及び前記インバータカバーの少なくとも一方が、前記接合面の面方向における、前記第２シール材と前記第２Ｏリングとの間に配置される第２溝を前記接合面に備えることを特徴とするモータである。
【００５４】
第４態様によれば、モータハウジングとインバータハウジングとの接合部、及びインバータハウジングとインバータカバーとの接合部、のそれぞれについて、接合部からの冷媒漏れをＯリング及び第２Ｏリングによって抑えることができる。更には、第４態様によれば、前述の２つの接続部のそれぞれについて、液状ガスケットの付着によるＯリング及び第２Ｏリングの劣化を抑え、モータハウジング、インバータハウジング及びインバータカバーの気密性と低コストで抑えることができる。
【００５５】
〔第５態様〕
第５態様は、第１態様の構成を備え、前記溝が、前記Ｏリングをセットされる環状溝（例えば環状溝３ｅ）と同心の曲率で湾曲する円弧状の形状であることを特徴とする電気機器である。
【００５６】
第５態様によれば、溝の形状を直線状にする構成に比べて、溝をより長い態様で配置することが可能であることから、溝内部の容量をより大きくして、溝内からの液状ガスケットの溢れを抑えることができる。
【００５７】
本発明は、２０２０年３月１９日に出願された日本特許出願である特願２０２０−０４９２６２号に基づく優先権を主張し、当該日本特許出願に記載されたすべての記載内容を援用する。
【符号の説明】
【００５８】
１：モータ（電気機器）、    ２：モータ部、    ３：モータハウジング（第１ハウジング）、    ３ａ：冷媒流路（液路）、    ３ａ１：連通口、    ３ｂ：接合面、    ３ｃ：中空、    ３ｄ：溝、    ３ｅ：環状溝、    ５：ステータ、    ５ａ：ステータコア、    ５ｂ：平角線コイル（巻線）、    ６：シャフト、    ７：ロータ、    ３９：Ｏリング、    ４０:シール材、    ４２：第２シール材、    ５０：インバータ部、    ５１：インバータカバー（カバー）、    ５１ａ：接合面、    ５１ｂ：冷媒流路、    ５１ｂ１：接合面、    ５２：ＩＧＢＴモジュール、    ５５：インバータハウジング（ハウジング、第２ハウジング）、    ５５ａ：接合面、    ５５ｂ：冷媒流路、    ５５ｂ１：連通口、    ５５ｂ２：第２連通口、    ５５ｃ：第２接合面、    ５５ｅ：第２溝、    ５６：第２Ｏリング
【要約】
【課題】冷媒流路３ａの連通口３ａ１からハウジング内外への冷媒漏れをＯリング３９によって抑え、液状ガスケット４１の付着によるＯリング３９の劣化を抑え、且つハウジングの気密性を低コストで高めることができるモータを提供する。
【解決手段】モータハウジング３の接合面３ｂと、インバータハウジングの接合面との間に介在するシール材（液状ガスケット４１の乾燥体）と、Ｏリング３９とを備え、Ｏリング３９が、モータハウジング３とインバータハウジングとの間に介在しつつ、冷媒流路３ａの連通口３ａ１を囲む態様で配置され、モータハウジング３が、接合面３ｂの面方向における、シール材とＯリング３９との間に配置される３ｄ溝を接合面３ｂに備える。【図１】
0006940031.tif 000002
【図２】
0006940031.tif 000003
【図３】
0006940031.tif 000004
【図４】
0006940031.tif 000005
【図５】
0006940031.tif 000006
【図６】
0006940031.tif 000007
【図７】
0006940031.tif 000008
【図８】
0006940031.tif 000009
【図９】
0006940031.tif 000010
【図１０】
0006940031.tif 000011